(57)【特許請求の範囲】
【請求項１】
ファイル補助具であって、関連書類を１つの纏りにする可撓性を有するシート状の本体と、ファイルへ収納するための４つの第１の孔と、関連書類綴じ込み用の２つの爪部と、前記爪部を引っ掛けるための２つの第２の孔と、折り曲げ部を有し、前記爪部は前記本体と一体であり、
前記爪部は、前記本体から起こされて、綴じられる関連書類に開けられた孔を貫通し、前記本体が前記折り曲げ部に沿って曲げられて、前記爪部の上方向に配置される前記第２の孔を貫通した後、前記本体に沿うように折り曲げられることにより、前記関連書類を一つの纏りとして綴じ、
前記折り曲げ部を境にして一側では前記第１の孔のうちの２つの孔、前記第２の孔が一直線上に配置され、かつ前記折り曲げ部を境にして他側では前記第１の孔のうちの残り２つの孔、前記爪部が一直線上に配置されることを特徴とするファイル補助具。
【請求項２】
さらに、２つの第３の孔を有し、前記第２の孔を貫通した前記爪部を前記第３の孔に貫通させて、前記爪部の姿勢を矯正し、
前記折り曲げ部を境にして一側では前記第１の孔のうちの２つの孔、前記第２の孔、前記第３の孔が一直線上に配置され、かつ前記折り曲げ部を境にして他側では前記第１の孔のうちの残り２つの孔、前記爪部が一直線上に配置されることを特徴とする請求項１に記載のファイル補助具。
【請求項３】
前記爪部の幅方向の中心線と前記折り曲げ部との距離は、前記２つの第２の孔の中心を結ぶ中心線と前記折り曲げ部との距離に等しいことを特徴とする請求項１に記載のファイル補助具。
【請求項４】
前記第１の孔は、前記折り曲げ部を中心として２つずつ対称に配置されることを特徴とする請求項１または２に記載のファイル補助具。
【発明の詳細な説明】
【技術分野】
【０００１】
本発明は、ファイル補助具に係り、より詳しくは、関連書類をファイルする際、関連書類ごとにまとめるファイル補助具に関する。
【背景技術】
【０００２】
用紙をファイルするのには、用紙に孔をあけて綴じる方式と、用紙に孔はあけず抑え込む方式などがある。本発明は、孔をあけて綴じる方式、抑え込む方式において、より整理しやすいファイル補助具を提案するものである。
【０００３】
１冊のファイルには、関連する書類が収納されるが、さらに細分化することが求められる場合がある。
【０００４】
上記要求に対して、下記特許文献１に記載の発明に示されるように、見出しが付いたシートを書類間に挟むことによって、区分けをすることが行われている。
【０００５】
しかしながら、細分化されたある特定事項に関連する書類だけをファイルから取り出す場合、ばらけてしまったり、再度ファイルに収納する際、手間取ったりすることがある。
【先行技術文献】
【特許文献】
【０００６】
【特許文献１】特開２００９−２９８０５６号公報
【発明の概要】
【発明が解決しようとする課題】
【０００７】
本発明の目的は、上記従来の不具合を解決するため、細分化されたある特定事項に関連する書類を一つの纏りとして取扱うことができるファイル補助具を提供することにある。
【課題を解決するための手段】
【０００８】
本発明に係るファイル補助具は、関連書類を１つの纏りにする可撓性を有するシート状の本体と、ファイルへ収納するための第１の孔と、関連書類綴じ込み用の爪部と、前記爪部を引っ掛けるための第２の孔と、折り曲げ部を有し、前記爪部は前記本体と一体であることを特徴とする。
【０００９】
前記爪部は前記本体から起こされて、綴じられる関連書類に開けられた孔を貫通し、前記本体を前記折り曲げ部に沿って折り曲げられて前記爪部の上方向に配置される前記第２の孔を貫通した後、前記本体に沿うように折り曲げられることにより、前記関連書類を一つの纏りとして綴じることを特徴とする。
【００１０】
さらに、ファイル補助具は、第３の孔を有し、前記第２の孔を貫通した前記爪部を第３の孔に貫通させて、前記爪部の姿勢を矯正してもよい。
【００１１】
前記爪部の幅方向の中心線と前記折り曲げ部との距離は、前記第２の孔の幅方向の中心線と前記折り曲げ部との距離に等しいことを特徴とする。
【００１２】
また、前記折り曲げ部に対する一側では前記第１の孔、前記第２の孔が一直線上に配置され、かつ前記折り曲げ部に対する他側では前記第１の孔、前記爪部が一直線上に配置されることを特徴とする。
【００１３】
また、前記折り曲げ部に対する一側では前記第１の孔、前記第２の孔、前記第３の孔が一直線上に配置され、かつ前記折り曲げ部に対する他側では前記第１の孔、前記爪部が一直線上に配置されることを特徴とする。
【００１４】
前記第１の孔は、前記折り曲げ部を中心として対称に配置されることを特徴とする。
【発明の効果】
【００１５】
細分化された関連する書類を纏りとして取り扱うことができ、ファイルからの取出し、ファイルへの再収納が容易になる。
【００１６】
本発明に係るファイル補助具は簡単な構造であるため、ユーザは安価に手に入れることができる。
【図面の簡単な説明】
【００１７】
【図１】本発明の第１の実施形態によるファイル補助具の平面図である。
【図２】本発明の第１の実施形態によるファイル補助具を使用して書類を綴じた状態を示す断面図である。
【図３】本発明の第１の実施形態によるファイル補助具を使用して書類を綴じた状態を示す側面図である。
【図４】本発明の第２の実施形態によるファイル補助具の平面図である。
【図５】本発明の第２の実施形態における爪部の矯正を示す側面図である。
【図６】本発明の第３の実施形態によるファイル補助具の平面図である。
【発明を実施するための形態】
【００１８】
以下、添付した図面を参照して、本発明を詳しく説明する。
【００１９】
図１は、本発明の第１の実施形態によるファイル補助具の平面図である。図１においては、ファイル補助具は平面状に開かれている。
【００２０】
ファイル補助具１０は、ファイルへ収納するための第１の孔２０と、関連書類綴じ込み用の爪部３０と、爪を引っ掛けるための第２の孔４０と、谷折り線である折り曲げ部５０を有する。
【００２１】
ファイル補助具１０は、シート状であり、可撓性を有する。
【００２２】
折り曲げ部５０は溝であってもよいし、折り曲げ跡であってもよい。
【００２３】
第１の孔２０は、折り曲げ部５０の上下に２つずつ配置される。上側２つの第１の孔２０と折り曲げ部５０との距離ｄ１は、下側２つの第１の孔２０と折り曲げ部５０との距離に等しい。
【００２４】
爪部３０は、折り曲げ部５０の上側に２つ配置される。
【００２５】
第２の孔４０は、折り曲げ部５０の下側に２つ配置される。
【００２６】
爪部３０の幅方向の中心線と折り曲げ部５０との距離ｄ２は、第２の孔４０の幅方向の中心線と折り曲げ部５０との距離に等しい。
【００２７】
２つの爪部３０の先端は、両方とも外側を向くか、あるいは両方とも内側を向くことが好ましい。
【００２８】
図１において、第２の孔４０を四角形により示したが、これは一例であり、丸形など他の形状でもよい。
【００２９】
図１において、爪部３０を四角形により示したが、これは一例であり、先端が細くなっていてもよい。
【００３０】
図１において、外形、第２の孔４０、爪部３０、爪部３０の周りにある溝部６０の角部は直角であるとして示したが、角部は丸みを帯びてもよい。
【００３１】
爪部３０は、ファイル補助具１０と一体であり、爪部３０の周りに配置される溝部６０を第１の孔２０、第２の孔４０と同様にプレス加工によって抜くことにより形成される。
【００３２】
図２は、本発明の第１の実施形態によるファイル補助具１０を使用して書類７０を綴じた状態を示す断面図である。図２は、図１の折り曲げ部５０において折り曲げられて、書類を綴じた状態の図１に示すＩ−Ｉによる断面図である。
【００３３】
図２を参照すると、第１の孔２０は、ファイル補助具１０により綴じられた書類をファイル補助具１０ごとファイルへ収納するためにある。
【００３４】
爪部３０は綴じられる書類７０に開けられた孔を貫通し、折り曲げ部５０により曲げられて爪部３０の上方向に配置される第２の孔４０を貫通することにより、関連書類を一つの纏りとして綴じる。
【００３５】
図３は、本発明の第１の実施形態によるファイル補助具を使用して書類を綴じた状態を示す側面図であり、図２に示すＡ方向から見た図である。
【００３６】
一つの纏りとして綴じられると、ファイルへの収納、ファイルからの取出しが容易になる。
【００３７】
爪部３０は、ファイル補助具１０の一部であり、可撓性を有するので、ファイルに綴じられ時、ファイルの表紙、あるいは一緒に綴じられた他の書類により押されてファイル補助具１０の上側とほぼ平行状態になる。
【００３８】
図４は、本発明の第２の実施形態によるファイル補助具の平面図であり、図５は、本発明の第２の実施形態における爪部の矯正を示す側面図である。
ここで、図５は第１の実施形態における図３に対応する図であるが、説明のため、書類７０は図示しない。
【００３９】
図４に示すように、さらに第３の孔８０を設け、図５に示すように、爪部３０が第２の孔４０を貫通した後、第３の孔８０を貫通させて、爪部３０の姿勢を矯正させる。これにより、書類の綴じ方が安定する。
【００４０】
図６は、本発明の第３の実施形態によるファイル補助具の平面図である。
ここで、第１、２の実施形態と重複する部分は説明を省略する。
【００４１】
第３の実施形態においては、折り曲げ部５０の下側では第１の孔２０、第２の孔４０、第３の孔８０が一直線上に配置され、かつ折り曲げ部５０の上側では第１の孔２０、爪部３０が一直線上に配置される。この場合、第３の孔が無くてもよい。
【００４２】
ファイル補助具１０による書類７０の綴じ方は、実施形態１、２と同様であるが、ファイル補助具１０の幅ｄ３を小さくでき、書類７０を綴じたファイル補助具１０をファイルに深く収納できる効果を有する。
【００４３】
ここで、第２の孔４０に対応する綴じ用孔を書類７０にあける時、第２の孔４０に対応する綴じ用孔の中心と図３に示す書類の端部９０との距離を、第１の孔の中心距離ｄ４の半分にした場合、２孔用孔あけパンチの２孔の中心を示すマークに書類の端部９０をそれぞれ合わせて１孔ずつ綴じ用孔をあけることができ、第２の孔４０に対応する綴じ用孔の孔あけの位置決めが容易になる。
【００４４】
各実施形態において、折り曲げ部５０により、ファイル補助具１０を折り曲げると説明したが、これに限定されず、例えば図１、４、６における折り曲げ部５０から上の部分、下の部分をそれぞれ作成し、折り曲げ部５０に該当する部分を熱溶着などで密着させた後、のり代の余分な部分をとり除いてファイル補助具１０を作成してもよい。
【００４５】
孔をあけて綴じる方式の場合には、第１の孔２０を使用して、ファイルに収納し、抑え込む方式の場合には、第１の孔２０の近辺を抑え込むことにより、ファイルに収納する。
【符号の説明】
【００４６】
１０  ファイル補助具
２０  第１の孔
３０  爪部
４０  第２の孔
５０  折り曲げ部
６０  溝部
７０  書類
８０  第３の孔
９０  書類の端部
【図１】
0006563244.tif 000002
【図２】
0006563244.tif 000003
【図３】
0006563244.tif 000004
【図４】
0006563244.tif 000005
【図５】
0006563244.tif 000006
【図６】
0006563244.tif 000007